【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
少なくとも道路網データを含む地図データを記憶する地図データ記憶手段と、
上記地図データ上の案内地点の地点表示情報を記憶する地点表示情報記憶手段と、
端末装置の利用者の進行経路を、上記地図データ記憶手段に記憶された上記地図データを用いて特定し、上記地点表示情報記憶手段に記憶された上記案内地点の上記地点表示情報から、当該特定された当該進行経路上に存在する上記案内地点の上記地点表示情報を抽出し、当該抽出された上記案内地点の上記地点表示情報のリストである表示案内データを生成する表示案内データ生成手段と、
上記表示案内データ生成手段により生成された上記表示案内データに含まれる一部または全部の上記案内地点の上記地点表示情報を表示した表示画面を表示部に表示させる案内表示手段と、
上記案内表示手段により上記表示部に表示された上記表示画面の上記表示案内データ中の任意の上記案内地点が入力部を介して選択された場合、当該選択された上記案内地点の上記地点表示情報の表示が隠れるように変更して表示した上記表示画面を上記表示部に表示させる変更表示手段と、
を備えたことを特徴とする、経路表示システム。
【請求項２】
請求項１に記載の経路表示システムにおいて、
上記進行経路は、
現在位置から目的地までの経路、
出発地から上記目的地までの経路、または、
上記現在位置が存在する道路、
のうち少なくとも一つを含むことを特徴とする、経路表示システム。
【請求項３】
請求項１または２に記載の経路表示システムにおいて、
上記案内表示手段により、上記表示案内データ生成手段により生成された上記表示案内データに含まれる一部の上記案内地点の上記地点表示情報を表示した上記表示画面を上記表示部に表示させた場合、
上記変更表示手段は、
上記案内表示手段により上記表示部に表示された上記表示案内データ中の任意の上記案内地点が上記入力部を介して選択された場合、当該選択された上記案内地点の上記地点表示情報の表示が隠れるように変更し、かつ、上記表示案内データに含まれる上記表示画面に表示されていない次の上記案内地点の上記地点表示情報を表示した表示画面を上記表示部に表示させることを特徴とする、経路表示システム。
【請求項４】
請求項１から３のいずれか一つに記載の経路表示システムにおいて、
上記変更表示手段により上記表示が隠れるように変更して表示された上記案内地点が上記入力部を介して再度選択された場合、または、上記端末装置の上記現在位置が、上記変更表示手段により上記表示が隠れるように変更して表示された上記案内地点から所定の位置にある場合、当該案内地点の上記地点表示情報を再び表示した上記表示画面を上記表示部に表示させる再表示手段、
を更に備えたことを特徴とする、経路表示システム。
【請求項５】
請求項１から４のいずれか一つに記載の経路表示システムにおいて、
上記入力部を介して選択された上記案内地点についての選択情報を記憶する選択情報記憶手段と、
上記表示案内手段により上記表示部に表示された上記表示案内データ中の任意の上記案内地点が上記入力部を介して選択された場合、当該選択された上記案内地点についての上記選択情報を上記選択情報記憶手段に格納する選択情報格納手段と、
を更に備えたことを特徴とする、経路表示システム。
【請求項６】
請求項１から５のいずれか一つに記載の経路表示システムにおいて、
上記変更表示手段は、
上記案内地点が上記入力部を介して選択された場合、当該選択された上記案内地点の表示を隠してよいか否かを所定の条件により判断し、当該判断の結果により表示を隠してよい場合に、上記表示を変更した上記表示画面を上記表示部に表示させることを特徴とする、経路表示システム。
【請求項７】
請求項１から６のいずれか一つに記載の経路表示システムにおいて、
上記案内表示手段は、
上記進行経路を示す線分、上記表示案内データに基づく所定の数の上記案内地点の上記地点表示情報を示すアイコン、および、当該進行経路を示す線分と当該アイコンとを接続した線分を少なくとも表示した上記表示画面を上記表示部に表示させることを特徴とする、経路表示システム。
【請求項８】
請求項１から７のいずれか一つに記載の経路表示システムにおいて、
上記表示案内データは、更に、
上記表示案内データに含まれる上記案内地点に対応付けられた番号データを含み、
上記案内表示手段は、更に、
上記番号データを上記案内地点に対応付けて表示した上記表示画面を上記表示部に表示させることを特徴とする、経路表示システム。
【請求項９】
請求項１から８のいずれか一つに記載の経路表示システムにおいて、
上記表示案内データは、更に、
上記案内地点に対応付けられた音声案内データを含み、
上記端末装置の上記現在位置が上記案内地点から所定の位置にある場合、かつ、上記案内地点の上記地点表示情報を表示した上記表示画面が上記表示部に表示されている場合、当該案内地点に対応する上記音声案内データを、音声出力部を介して出力させることにより、音声案内を実行する音声案内出力手段、
を更に備えたことを特徴とする、経路表示システム。
【請求項１０】
ナビゲーションサーバに通信可能に接続された、表示部と入力部と制御部とを少なくとも備えた端末装置であって、
上記制御部は、
上記ナビゲーションサーバから送信される、上記端末装置の利用者の進行経路上に存在する案内地点の地点表示情報のリストである表示案内データを受信するデータ受信手段と、
上記データ受信手段により受信された上記表示案内データに含まれる一部または全部の上記案内地点の上記地点表示情報を表示した表示画面を上記表示部に表示させる案内表示手段と、
上記案内表示手段により上記表示部に表示された上記表示画面の上記表示案内データ中の任意の上記案内地点が上記入力部を介して選択された場合、当該選択された上記案内地点の上記地点表示情報の表示が隠れるように変更して表示した表示画面を上記表示部に表示させる変更表示手段と、
を備えたことを特徴とする、端末装置。
【請求項１１】
表示部と入力部と制御部とを少なくとも備えた端末装置に通信可能に接続された、制御部と記憶部とを少なくとも備えたナビゲーションサーバであって、
上記記憶部は、
少なくとも道路網データを含む地図データを記憶する地図データ記憶手段と、
上記地図データ上の案内地点の地点表示情報を記憶する地点表示情報記憶手段と、
を備え、
上記制御部は、
上記端末装置の利用者の進行経路を、上記地図データ記憶手段に記憶された上記地図データを用いて特定し、上記地点表示情報記憶手段に記憶された上記案内地点の上記地点表示情報から、当該特定された当該進行経路上に存在する上記案内地点の上記地点表示情報を抽出し、当該抽出された上記案内地点の上記地点表示情報のリストである表示案内データを生成する表示案内データ生成手段と、
上記表示案内データ生成手段により生成された上記表示案内データを表示した表示画面を生成する案内表示画面生成手段と、
上記案内表示画面生成手段により生成された上記表示画面を上記端末装置へ送信することにより、当該端末装置の上記表示部に当該表示画面を表示させる案内表示制御手段と、
上記案内表示制御手段により上記端末装置の上記表示部に表示された上記表示画面の上記表示案内データ中の任意の上記案内地点が上記端末装置の上記入力部を介して選択された場合、当該選択された上記案内地点の上記地点表示情報の表示が隠れるように変更した上記表示画面を生成する変更表示画面生成手段と、
上記変更表示画面生成手段により生成された上記表示画面を上記端末装置へ送信することにより、当該端末装置の上記表示部に当該表示画面を表示させる変更表示制御手段と、
を備えたことを特徴とする、ナビゲーションサーバ。
【請求項１２】
表示部と入力部と制御部と記憶部とを少なくとも備えた経路表示装置であって、
上記記憶部は、
少なくとも道路網データを含む地図データを記憶する地図データ記憶手段と、
上記地図データ上の案内地点の地点表示情報を記憶する地点表示情報記憶手段と、
を備え、
上記制御部は、
上記経路表示装置の利用者の進行経路を、上記地図データ記憶手段に記憶された上記地図データを用いて特定し、上記地点表示情報記憶手段に記憶された上記案内地点の上記地点表示情報から、当該特定された当該進行経路上に存在する上記案内地点の上記地点表示情報を抽出し、当該抽出された上記案内地点の上記地点表示情報のリストである表示案内データを生成する表示案内データ生成手段と、
上記表示案内データ生成手段により生成された上記表示案内データに含まれる一部または全部の上記案内地点の上記地点表示情報を表示した表示画面を上記表示部に表示させる案内表示手段と、
上記案内表示手段により上記表示部に表示された上記表示画面の上記表示案内データ中の任意の上記案内地点が上記入力部を介して選択された場合、当該選択された上記案内地点の上記地点表示情報の表示が隠れるように変更して表示した上記表示画面を上記表示部に表示させる変更表示手段と、
を備えたことを特徴とする、経路表示装置。
【請求項１３】
経路表示システムにおいて実行される経路表示方法であって、
上記経路表示システムは、
道路網データを含む地図データを記憶する地図データ記憶手段と、案内地点の地点表示情報を記憶する地点表示情報記憶手段と、表示案内データ生成手段と、案内表示手段と、変更表示手段と、
を備え、
上記表示案内データ生成手段が、端末装置の利用者の進行経路を、上記地図データ記憶手段に記憶された上記地図データを用いて特定し、上記地点表示情報記憶手段に記憶された上記案内地点の上記地点表示情報から、当該特定された当該進行経路上に存在する上記案内地点の上記地点表示情報を抽出し、当該抽出された上記案内地点の上記地点表示情報のリストである表示案内データを生成する表示案内データ生成ステップと、
上記案内表示手段が、上記表示案内データ生成ステップにて生成された上記表示案内データに含まれる一部または全部の上記案内地点の上記地点表示情報を表示した表示画面を表示部に表示させる案内表示ステップと、
上記変更表示手段が、上記案内表示ステップにて上記表示部に表示された上記表示画面の上記表示案内データ中の任意の上記案内地点が入力部を介して選択された場合、当該選択された上記案内地点の上記地点表示情報の表示が隠れるように変更して表示した上記表示画面を上記表示部に表示させる変更表示ステップと、
を含むことを特徴とする、経路表示方法。
【請求項１４】
ナビゲーションサーバに通信可能に接続された、表示部と入力部と制御部とを少なくとも備えた端末装置において実行される経路表示方法であって、
上記制御部において実行される、
上記ナビゲーションサーバから送信される、上記端末装置の利用者の進行経路上に存在する案内地点の地点表示情報のリストである表示案内データを受信するデータ受信ステップと、
上記データ受信ステップにて受信された上記表示案内データに含まれる一部または全部の上記案内地点の上記地点表示情報を表示した表示画面を上記表示部に表示させる案内表示ステップと、
上記案内表示ステップにて上記表示部に表示された上記表示画面の上記表示案内データ中の任意の上記案内地点が上記入力部を介して選択された場合、当該選択された上記案内地点の上記地点表示情報の表示が隠れるように変更して表示した上記表示画面を上記表示部に表示させる変更表示ステップと、
を含むことを特徴とする、経路表示方法。
【請求項１５】
表示部と入力部と制御部とを少なくとも備えた端末装置に通信可能に接続された、制御部と記憶部とを少なくとも備えたナビゲーションサーバにおいて実行される経路表示方法であって、
上記記憶部は、
少なくとも道路網データを含む地図データを記憶する地図データ記憶手段と、
上記地図データ上の案内地点の地点表示情報を記憶する地点表示情報記憶手段と、
を備え、
上記制御部において実行される、
上記端末装置の利用者の進行経路を、上記地図データ記憶手段に記憶された上記地図データを用いて特定し、上記地点表示情報記憶手段に記憶された上記案内地点の上記地点表示情報から、当該特定された当該進行経路上に存在する上記案内地点の上記地点表示情報を抽出し、当該抽出された上記案内地点の上記地点表示情報のリストである表示案内データを生成する表示案内データ生成ステップと、
上記表示案内データ生成ステップにて生成された上記表示案内データを表示した表示画面を生成する案内表示画面生成ステップと、
上記案内表示画面生成ステップにて生成された上記表示画面を上記端末装置へ送信することにより、当該端末装置の上記表示部に当該表示画面を表示させる案内表示制御ステップと、
上記案内表示制御ステップにて上記端末装置の上記表示部に表示された上記表示画面の上記表示案内データ中の任意の上記案内地点が上記端末装置の上記入力部を介して選択された場合、当該選択された上記案内地点の上記地点表示情報の表示が隠れるように変更した上記表示画面を生成する変更表示画面生成ステップと、
上記変更表示画面生成ステップにて生成された上記表示画面を上記端末装置へ送信することにより、当該端末装置の上記表示部に当該表示画面を表示させる変更表示制御ステップと、
を含むことを特徴とする、経路表示方法。
【請求項１６】
表示部と入力部と制御部と記憶部とを少なくとも備えた経路表示装置において実行される経路表示方法であって、
上記記憶部は、
少なくとも道路網データを含む地図データを記憶する地図データ記憶手段と、
上記地図データ上の案内地点の地点表示情報を記憶する地点表示情報記憶手段と、
を備え、
上記制御部において実行される、
上記経路表示装置の利用者の進行経路を、上記地図データ記憶手段に記憶された上記地図データを用いて特定し、上記地点表示情報記憶手段に記憶された上記案内地点の上記地点表示情報から、当該特定された当該進行経路上に存在する上記案内地点の上記地点表示情報を抽出し、当該抽出された上記案内地点の上記地点表示情報のリストである表示案内データを生成する表示案内データ生成ステップと、
上記表示案内データ生成ステップにて生成された上記表示案内データに含まれる一部または全部の上記案内地点の上記地点表示情報を表示した表示画面を上記表示部に表示させる案内表示ステップと、
上記案内表示ステップにて上記表示部に表示された上記表示画面の上記表示案内データ中の任意の上記案内地点が上記入力部を介して選択された場合、当該選択された上記案内地点の上記地点表示情報の表示が隠れるように変更して表示した上記表示画面を上記表示部に表示させる変更表示ステップと、
を含むことを特徴とする、経路表示方法。
【請求項１７】
ナビゲーションサーバに通信可能に接続された、表示部と入力部と制御部とを少なくとも備えた端末装置に実行させるためのプログラムであって、
上記制御部において、
上記ナビゲーションサーバから送信される、上記端末装置の利用者の進行経路上に存在する案内地点の地点表示情報のリストである表示案内データを受信するデータ受信ステップと、
上記データ受信ステップにて受信された上記表示案内データに含まれる一部または全部の上記案内地点の上記地点表示情報を表示した表示画面を上記表示部に表示させる案内表示ステップと、
上記案内表示ステップにて上記表示部に表示された上記表示画面の上記表示案内データ中の任意の上記案内地点が上記入力部を介して選択された場合、当該選択された上記案内地点の上記地点表示情報の表示が隠れるように変更して表示した上記表示画面を上記表示部に表示させる変更表示ステップと、
を実行させるためのプログラム。
【請求項１８】
表示部と入力部と制御部とを少なくとも備えた端末装置に通信可能に接続された、制御部と記憶部とを少なくとも備えたナビゲーションサーバに実行させるためのプログラムであって、
上記記憶部は、
少なくとも道路網データを含む地図データを記憶する地図データ記憶手段と、
上記地図データ上の案内地点の地点表示情報を記憶する地点表示情報記憶手段と、
を備え、
上記制御部において、
上記端末装置の利用者の進行経路を、上記地図データ記憶手段に記憶された上記地図データを用いて特定し、上記地点表示情報記憶手段に記憶された上記案内地点の上記地点表示情報から、当該特定された当該進行経路上に存在する上記案内地点の上記地点表示情報を抽出し、当該抽出された上記案内地点の上記地点表示情報のリストである表示案内データを生成する表示案内データ生成ステップと、
上記表示案内データ生成ステップにて生成された上記表示案内データを表示した表示画面を生成する案内表示画面生成ステップと、
上記案内表示画面生成ステップにて生成された上記表示画面を上記端末装置へ送信することにより、当該端末装置の上記表示部に当該表示画面を表示させる案内表示制御ステップと、
上記案内表示制御ステップにて上記端末装置の上記表示部に表示された上記表示画面の上記表示案内データ中の任意の上記案内地点が上記端末装置の上記入力部を介して選択された場合、当該選択された上記案内地点の上記地点表示情報の表示が隠れるように変更した上記表示画面を生成する変更表示画面生成ステップと、
上記変更表示画面生成ステップにて生成された上記表示画面を上記端末装置へ送信することにより、当該端末装置の上記表示部に当該表示画面を表示させる変更表示制御ステップと、
を実行させるためのプログラム。
【請求項１９】
表示部と入力部と制御部と記憶部とを少なくとも備えた経路表示装置に実行させるためのプログラムであって、
上記記憶部は、
少なくとも道路網データを含む地図データを記憶する地図データ記憶手段と、
上記地図データ上の案内地点の地点表示情報を記憶する地点表示情報記憶手段と、
を備え、
上記制御部において、
上記経路表示装置の利用者の進行経路を、上記地図データ記憶手段に記憶された上記地図データを用いて特定し、上記地点表示情報記憶手段に記憶された上記案内地点の上記地点表示情報から、当該特定された当該進行経路上に存在する上記案内地点の上記地点表示情報を抽出し、当該抽出された上記案内地点の上記地点表示情報のリストである表示案内データを生成する表示案内データ生成ステップと、
上記表示案内データ生成ステップにて生成された上記表示案内データに含まれる一部または全部の上記案内地点の上記地点表示情報を表示した表示画面を上記表示部に表示させる案内表示ステップと、
上記案内表示ステップにて上記表示部に表示された上記表示画面の上記表示案内データ中の任意の上記案内地点が上記入力部を介して選択された場合、当該選択された上記案内地点の上記地点表示情報の表示が隠れるように変更して表示した上記表示画面を上記表示部に表示させる変更表示ステップと、
を実行させるためのプログラム。
【手続補正２】
【補正対象書類名】明細書
【補正対象項目名】発明の名称
【補正方法】変更
【補正の内容】
【発明の名称】経路表示システム、端末装置、ナビゲーションサーバ、経路表示装置、経路表示方法、および、プログラム
【手続補正３】
【補正対象書類名】明細書
【補正対象項目名】０００１
【補正方法】変更
【補正の内容】
【０００１】
本発明は、経路表示システム、端末装置、ナビゲーションサーバ、経路表示装置、経路表示方法、および、プログラムに関する。